(57)【要約】【目的】球形状やまゆ玉形状などのように単に内部の重心を移動する程度のバランスの変動で容易に転がり回転できる特定外形の玩具を、内蔵したオモリの移動によって外観上の玩具動作なしに転がり動作せしめる新たな玩具を提供する。【構成】内部における重心バランスの移動をきっかけとして平面上を回転移動できる立体的形状の玩具本体１内部に固定する、少なくともバッテリー３、駆動モーター４を一体化したユニット部２に対して該駆動モーター４によって駆動され該ユニット部２の周囲を回る駆動手段５を設け、該駆動手段５に取付けたオモリ８が玩具本体１内部で該ユニット部２の周囲を回ることで玩具本体１の重心が移動し、それによってバランスを崩した玩具本体１が倒れ込んで回転しその位置を移動する玩具本体１内で重心移動することで回転移動する玩具。【選択図】図１
2004202033.tif 000002
【特許請求の範囲】
【請求項１】
内部における重心バランスの移動をきっかけとして平面上を回転移動できる立体的形状の玩具本体内部に固定する、少なくともバッテリー、駆動モーターを一体化したユニット部に対して該駆動モーターによって駆動され該ユニット部の周囲を回る駆動手段を設け、該駆動手段に取付けたオモリが玩具本体内部で該ユニット部の周囲を回ることで玩具本体の重心が移動し、それによってバランスを崩した玩具本体が倒れ込んで回転しその位置を移動することを特徴とする玩具本体内で重心移動することで回転移動する玩具。
【請求項２】
玩具本体の立体形状が球形状、まゆ玉形状、たまご型形状、多面体形状の何れかであることを特徴とする請求項１に記載の玩具本体内で重心移動することで回転移動する玩具。
【請求項３】
送信機からの操作信号をユニット部に巻き付け取付けて玩具本体内に内蔵した受信アンテナで受けさせることで無線操作可能なものとしたことを特徴とした請求項１または請求項２に記載の玩具本体内で重心移動することで回転移動する玩具。
【請求項４】
充電機能を有するバッテリーに対する充電作業を玩具本体外部に固定的に設けた１個の充電部を利用して行うことが可能であることを特徴とした請求項１〜請求項３の何れか１つに記載の玩具本体内で重心移動することで回転移動する玩具。
【請求項５】
玩具本体外部に取付け内蔵モーターによって駆動される回転プレートの回転によって玩具本体が方向転換可能とされていることを特徴とした請求項１〜請求項４の何れか１つに記載の玩具本体内で重心移動することで回転移動する玩具。
【発明の詳細な説明】
【０００１】
【発明の属する技術分野】
本発明は、球形状やまゆ玉形状などのように単に内部の重心を移動する程度のバランスの変動で容易に転がり回転できる特定外形の玩具を、内蔵したオモリの移動によって外観上の玩具動作なしに転がり動作せしめる新たな玩具を提供するものである。
【０００２】
【従来の技術】
バッテリーとモーターを利用して様々な動きを実現する玩具は多様なものが既に提案されている。
【０００３】
キツネ等の動物形状を模した付属品を取付けた球形玩具本体内に回転軸を介してバッテリーやモーター等を一体化したユニットを取付け、該回転軸を中心として該ユニットを回転させて重心バランスを連続的に変化せしめ、それにより球形玩具本体を回転動作させて動物形状の付属品が玉(球形玩具本体)にじゃれ付いているような動きを実現しているものが存在している。
【０００４】
【発明が解決しようとする課題】
しかし、上記したような従来の技術では、通常の可動玩具の場合にはモーター等に駆動される可動部が玩具本体外に取付けられたものであり、玩具の動きはこの可動部の動きとして把握できるものに過ぎなかった。
【０００５】
球形玩具本体内でバッテリーやモーター等の一体化ユニットを回転させる方式では、滑らかに回転し易い球形状以外の形状を玩具本体形状として採用することは非常に困難であり、また、実現される動きも単に回転するだけのものであるから、外部からのリモートコントロール等に適したものではない(不規則な動きを示すがこれはランダムなものであって、外部からの操作によって適宜な実現が可能なものではない)。
【０００６】
また、バッテリーを含めたユニット全体が玩具本体内を回転することになるので、バッテリーに充電するための部位を玩具本体表面の一箇所に固定的に設けることは不可能である(バッテリーが玩具本体に対して常にその場所を変えてしまうので)。
【０００７】
したがって、外部からのリモートコントロール性に優れ、内蔵バッテリーに対する充電性にも優れながら、しかも可動部分を外部から観察させないで特定形状の玩具本体を転がり動作させるような玩具は従来技術からは提案されていない。
【０００８】
【課題を解決するための手段】
本発明は、上記したような従来技術における課題を解消することについて、実験と検討を繰り返し行い創案されたものであって、内部における重心バランスの変動程度で容易に転がり始めることができる球形やまゆ玉形などの特定形状の外観を有する玩具本体内にオモリのみを可動させるバッテリー・モーター等一体化ユニットを内蔵させ、オモリの移動による重心バランスの変化によって玩具本体が転がり動作する新たな玩具を発明したものであって、具体的には以下の如くである。
【０００９】
（１）  内部における重心バランスの移動をきっかけとして平面上を回転移動できる立体的形状の玩具本体内部に固定する、少なくともバッテリー、駆動モーターを一体化したユニット部に対して該駆動モーターによって駆動され該ユニット部の周囲を回る駆動手段を設け、該駆動手段に取付けたオモリが玩具本体内部で該ユニット部の周囲を回ることで玩具本体の重心が移動し、それによってバランスを崩した玩具本体が倒れ込んで回転しその位置を移動することを特徴とする玩具本体内で重心移動することで回転移動する玩具。
【００１０】
（２）  玩具本体の立体形状が球形状、まゆ玉形状、たまご型形状、多面体形状の何れかであることを特徴とする前記(１)項に記載の玩具本体内で重心移動することで回転移動する玩具。
【００１１】
（３）  送信機からの操作信号をユニット部に巻き付け取付けて玩具本体内に内蔵した受信アンテナで受けさせることで無線操作可能なものとしたことを特徴とした前記(１)項または(２)項に記載の玩具本体内で重心移動することで回転移動する玩具。
【００１２】
（４） 充電機能を有するバッテリーに対する充電作業を玩具本体外部に固定的に設けた１個の充電部を利用して行うことが可能であることを特徴とした前記(１)項〜(３)項の何れか１つに記載の玩具本体内で重心移動することで回転移動する玩具。
【００１３】
(５)  玩具本体外部に取付け内蔵モーターによって駆動される回転プレートの回転によって玩具本体が方向転換可能とされていることを特徴とした前記(１)〜(４)の何れか１つに記載の玩具本体内で重心移動することで回転移動する玩具。
【００１４】
【作用】
内部における重心バランスの移動をきっかけとして平面上を回転移動できる立体的形状の玩具本体内部に固定する、少なくともバッテリー、駆動モーターを一体化したユニット部に対して該駆動モーターによって駆動され該ユニット部の周囲を回る駆動手段を設け、該駆動手段に取付けたオモリが玩具本体内部で該ユニット部の周囲を回ることで玩具本体の重心が移動し、それによってバランスを崩した玩具本体が倒れ込んで回転しその位置を移動することで、容易に回転動作し得る特定形状の玩具本体が内蔵したユニット部の周囲を回るオモリの回転動作による重心バランスの移動による玩具本体の回転動作が容易に実現する。
【００１５】
玩具本体の立体形状が球形状、まゆ玉形状、たまご型形状、多面体形状の何れかであることで、これらの形状が本発明の特定形状として採用され、滑らかな回転動作や意外性ある変化に富んだ回転動作が実現される。
【００１６】
送信機からの操作信号をユニット部に巻き付け取付けて玩具本体内に内蔵した受信アンテナ及び受信用回路で受けさせることで無線操作可能なものとしたことで、内蔵アンテナでありながら必要十分な受信能力を持った本発明の玩具を実現し、このような形式の玩具でありながら無線式のリモートコントロール可能なものとして提供することが可能となる。
【００１７】
充電機能を有するバッテリーに対する充電作業を玩具本体外部に固定的に設けた１個の充電部を利用して行うことが可能であることで、玩具本体を開閉してバッテリーを出し入れすることなしに簡易な充電作業を行うことが可能となる。
【００１８】
玩具本体外部に取付け内蔵モーターによって駆動される回転プレートの回転によって玩具本体が方向転換可能とされていることで、上記したリモートコントロール機能とも相俟って、本発明玩具を他方向に方向転換可能なものとして提供することが可能となる。
【００１９】
【発明の実施の形態】
上記した本発明の具体的な実施の態様の若干例を添付図面に示すところに従って説明すると以下のとおりである。
【００２０】
すなわち、図１は本発明の玩具本体１の立体的な特定形状としてまゆ玉形状１ａを採用した場合について、その内部の構成関係を分解斜視図として表現したものである。玩具本体１に対して固定的に取付けて内蔵されるユニット部２は、少なくともバッテリー３とモーター４、該モーター４によって駆動されるオモリ駆動用手段５（図示はチェーンを採用したものであるが、ベルト等を採用しても構わない）によって構成され、ユニット部カバー６によって１つのユニットとしてまとめられている。
【００２１】
もちろん、バッテリー３からの電力を供給されるモーター４の回転をオモリ駆動用手段５に伝達するためのギヤや無線方式のリモートコントロール操作を実現するための受信用アンテナ７や受信回路なども合わせてユニット部２に一体化するものとして構わない。
【００２２】
本発明においては、オモリ駆動用手段５に適当な重量のオモリ８を取付けてユニット部２の周囲を回転移動するようにされている。ユニット部２を取付けた玩具本体１の内部には、このようなオモリ８の回転運動を許容するスペースが確保されるように設計する。
【００２３】
このようなオモリ８は鉛のような比重の大きい金属が採用されるべきであるが、その具体的な重量は、玩具本体１の外形形状として採用する特定形状の種類や大きさ、最終的な玩具本体１の総重量、その重心位置などによって左右され、一義的に定めることは困難であるが、本発明で採用する玩具本体１の立体的形状は内部の重心移動によって容易に回転動作を開始し得る特定形状のものに限定されるので、オモリ８の重量が玩具本体１の総重量に対して著しく大きなものとなることはない。
【００２４】
オモリ８が駆動用手段５によって玩具本体１内に固定的に取付けられたユニット部２のまわりを周回すると、オモリ８自体はその重さから重力の作用によって常に下部に位置しようとすることから、図示のまゆ玉形状の玩具本体１はその重心バランスを失って回転動作を開始するものである。
【００２５】
このような回転動作は、駆動用手段５の回転開始・回転停止および回転方向の正回転・逆回転として指令すれば無線式のリモートコントロールが可能であることが理解される。すなわち、自動車等の所謂リモコン玩具の操作と同様の処理が本発明においても可能である。
【００２６】
この場合のアンテナ受信用受信回路１２は前記したようにユニット部２内に組込むことが可能であり、受信用アンテナ７も図示のようにユニット部カバー６に巻き付けるタイプのものを採用すれば、受信能力として十分であり、しかも玩具本体１に内蔵されることになるので、回転動作を阻害することなく外部からも観察できないものとすることができる。
【００２７】
さらに、バッテリー３に対する外部電源からの充電作業は、玩具本体１の外部の所定箇所に設けた充電部９に対するものとして実現することが可能である。つまり、バッテリー３はユニット部２と一体化されており、このユニット部２は玩具本体１内に固定的に取付けられるものであるので充電部９を所定箇所に固定することができるのである。
【００２８】
この点、バッテリーを含んだユニット部の如きが球形玩具本体内で相対的に回転移動する前記従来技術のものでは充電部を本発明のように所定箇所に固定して設けることはできない。
【００２９】
また、上記してきたところのみでは図示のまゆ玉形状玩具本体１ａはオモリ８の周回方向に沿った回転動作しかできないが、まゆ玉形状玩具本体１ａの下端部に回転プレート１０を取付け、これをも内蔵のモーター４ａによって駆動させれば該回転プレート１０にまゆ玉形状玩具本体１ａが乗っている図示の状態において３６０°自在な方向転換が可能となる。
【００３０】
この場合、回転プレート１０を駆動するためのモーター４ａや必要なギヤユニットもユニット部２に一体化するものとして構わない。また、そのリモートコントロール方式による操作も既存のリモコン自動車等の操縦機と同じ構成のもので実現可能である。すなわち、駆動用手段５によってオモリ８を操作するには既存の操縦機の前進・後退操作ボタンの如きを利用し、回転プレートによる方向転換操作には既存操縦機の方向転換ボタンの如きを利用するものとして設定すれば本発明品用に新たな構成の操縦機を設計する必要はない。
【００３１】
このように回転プレート１０を組合せることで、適当な距離の転がりを経た後に方向転換を行ってさらに所望方向に転がしてやるといった所謂リモコン操縦が実行可能となる。
【００３２】
本発明の玩具本体１の外観形状として採用し得る立体的な特定形状はその若干例を図２に示すように多様なものが考えられる。すなわち、球形形状１ｂやたまご型形状１ｃ、十六面体形状１ｄの如きが採用可能である。つまり、このような形状であれば玩具本体内のオモリ８を移動させてやるだけで容易に重心バランスが崩れて回転動作を開始させることが可能である。ピラミッド形状やサイコロ形状の如きでは本体内での重心移動程度では回転動作を実現することは困難である。
【００３３】
また、同じく図２に示すように玩具本体１の表面にキャラクター表情１１やその他の模様や色彩を施すことで、より娯楽性や趣味性を高めることが可能である。さらに、本発明品として回転動作性を阻害しない範囲で玩具本体１の表面を柔軟性のある素材などで仕上げるものとしても良い。
【００３４】
【発明の効果】
以上説明したような本発明によるならば、外観上の可動部分を持たないにもかかわらず内部の重心バランスの変化によって転がり動作を行うことができる特定の立体形状とされた新規な玩具を提案すると共に、必要に応じて所謂リモコン操縦可能なものとすることもできるもので、娯楽性や趣味性が高く新たな需要を喚起する新商品であることが明らかであって、工業的にその価値が高い発明である。
【図面の簡単な説明】
【図１】本発明品として、まゆ玉形状を採用する場合に関してその内部の構成関係を分解斜視図的に表現した説明図である。
【図２】本発明の玩具本体形状として採用し得る特定形状のヴァリエーションに関してその若干例を示した図面である。
【符号の説明】
１  玩具本体
１ａ  まゆ玉形状の玩具本体
１ｂ  球形形状の玩具本体
１ｃ  たまご型形状の玩具本体
１ｄ  十六面体形状の玩具本体
２  ユニット部
３  バッテリー
４  モーター
４ａ  回転プレート駆動用モーター
５  オモリ駆動用手段（チェーン）
６  ユニット部カバー
７  受信用アンテナ
８  オモリ
９  充電部
１０  回転プレート
１１  キャラクター表情
１２  受信アンテナ用回路
【図１】
2004202033.tif 000003
【図２】
2004202033.tif 000004